(57)【要約】      （修正有）【課題】主としてオフィスに使用しているラップトップコンピュータの盗難防止とサーバ等からの情報盗用の防止を目的とした施錠可能なコンピュータ盗難防止具を提供する。【解決手段】モジュラージャックとモジュラープラグの爪部のロックが外れないように，爪部に外力をかけられないよう機械的に覆っておく外部筐体１と、ロック用突起が押下できないように爪部が通常の緩んだ状態を筐体内で維持するようスペーサーとして挿入ピン２とからなっている。挿入ピン２の厚さはロック用突起がジャックと接続した後、ロックを継続するに必要な間隔を維持するように選ぶ。また、コンピュータ側の一端にはコンピュータの保護と外部筐体１とコンピュータ間の密着性を図るため弾性体クッションを貼付する。外部筐体１とＲＪモジュラープラグ８とが外れることも防止するためにプラグ爪部の裏側の凹部に外部筐体１の内面に内部突起３が緩やかに嵌合するよう取付ける。【選択図】図２
0003102533.tif 000002
【実用新案登録請求の範囲】
【請求項１】
コンピュータとコンピュータ等とを接続するＬＡＮケーブルとの間に取付けて、接続を外し難くするための、ケーブル貫通型の外部筐体１とケーブル末端に取付けられたＲＪモジュラープラグと外部筐体の内側に挿入する挿入ピン２からなる施錠可能なコンピュータ盗難防止具。
【請求項２】
方形の断面を有する中空の構造で、内面には内部突起３を有し、コンピュータ側の一端にはウレタンゴム等の弾性体クッション４を取り付け、他端ＬＡＮケーブル側には外部筐体鍵穴５を穿孔し、側面からみると、図２のような形状をした外部筐体。内部突起３はＲＪモジュラープラグと、請求項３の挿入ピン２挿入時に外部筐体との脱着を防ぐためのものである。
【請求項３】
ＲＪモジュラープラグの爪部の押下を妨げ、ロック解除を妨げるる目的の部とその他端に挿入ピン鍵穴６を穿孔し、この近傍に挿入ピン引抜用切欠７を施した挿入ピン。挿入ピン鍵穴６は鍵の脱着が容易となるよう上が広いテーパー状にする。また、ピンの挿入、引抜をスムーズにするよう先端または内側を曲線状に加工する。
また、二股部の底面は上に述べて機能を妨げない程度に両股間を図３のように薄板部で接続することも可とする。
【考案の詳細な説明】
【考案の詳細な説明】
【技術分野】
【０００１】  本考案は、通常サーバ等と接続し、固定的または臨時的に使用されるパーソナルコンピュータ、特にノートブック型ラップトップコンピュータの夜間や離席時における盗難を防止する一種の保護具である。
また、コンピュータを外した状態でモジュラープラグに施錠すれば、他のコンピュータの接続を妨げるので、接続されるサーバ等からの情報の盗用、散逸を防止する保護具でもある。
【背景技術】
【０００２】  従来、コンピュータの盗難防止対策として、コンピュータとその机などとを、紐、鎖または鋼線で繋ぎ施錠するなどの対策を講じていた。その為には、コンピュータに紐、鋼線等のつなぎ部分が必要であり、コンピュータを加工するか、工場で製作時につなぎ穴など対処しておく必要があった。また、コンピュータを置く机等にも紐、鋼線を固定する工夫をしておく必要があった。【０００３】  紐、鋼線などによる対策は、外見上見苦しく、コンピュータ使用者にも抵抗感がある。更にコンピュータを取外した跡も机上が見苦しい。コンピュータの盗難もワイヤーカッターなどを使って抵抗感もすくなく可能性が高かった。
【考案が解決しようとする課題】
【０００４】  この考案は、コンピュータとＬＡＮケーブルの接続部を機械的に施錠して、コンピュータの盗難を防止しようとするものである。
【０００５】  コンピュータの盗難防止対策の為にコンピュータ側にもモジュラープラグ側にも、その為の加工を必要としないことも課題の一つであった。
【課題を解決するための手段】
【０００６】  コンピュータとモジュラープラグを一体化すれば盗難は防止できる。その為には、コンピュータのジャックとＬＡＮケーブルのプラグが容易に外れないようにすればよい。そのために、まず、ジャックとプラグの爪部のロックが外れないようにする。つぎに、盗難保護具とケーブルのプラグが外れないようにする必要があった。
【考案実施の形態】
【０００７】  まず、モジュラージャックとモジュラープラグの爪部のロックが外れないようにするには、ロック用突起を押下できないようにする。そのため、爪部に外力をかけられないよう機械的に覆っておく外部筐体１と、ロック用突起が押下できないよう爪部が通常の緩んだ状態を筐体内で維持するようスペーサーとして挿入ピン２とからなっている。
【０００８】  外部筐体１は爪部に外力がかからないように保護する。挿入ピン２の厚さはロック用突起がジャックと接続した後、ロックを継続するに必要な間隔を維持するように選ぶ。
また、コンピュータ側の一端にはコンピュータの保護と外部筐体１とコンピュータ間の密着性を図るため弾性体クッションを貼付する。
【０００９】  外部筐体１とＲＪモジュラープラグ８とが外れることも防止しなければならない。このためにプラグ爪部の裏側の凹部に外部筐体１の内面に内部突起３が緩やかに嵌合するよう取付ける。
【００１０】  使用に当っては、まず、外部筐体１をコンピュータに接続するＬＡＮケーブルのＲＪモジュラープラグ８に通しておく。次にプラグをコンピュータのＲＪモジュラージャックに接続しロック状態を確認する。次に、図２に示すように外部筐体１を移動して嵌め込む。次に、挿入ピン２を挿入し、鍵穴が上下揃ったところで、南京錠またはそれと同等な錠前を取り付け、施錠する。
【００１１】  開錠の際には、錠前を外した後、挿入ピン引抜用切欠７を使ってピンを抜き、外部筐体１をケーブル側に移動させた後、ＲＪモジュラープラグ８を抜く。
【考案の効果】
【００１２】  本考案では、上に述べたように簡単に着脱が可能である。使用時の外観もスマートである。また、保持用ワイヤ等も不要であり、コンピュータ、デスク等に手を加える必要も無い。
【００１３】  コンピュータを外した後に、ＲＪモジュラープラグのみに施錠も可能である。こうすると他のコンピュータの接続は不可能となり、サーバ等の情報漏れなどを防止する効果もある。
【図面の簡単な説明】
【図１】  本考案の主体である外部筐体１と挿入ピン２の斜視図である。
【図２】  本考案を、ＬＡＮケーブルに接続したＲＪモジュラープラグに取付けた状況を示す側面図である。
【図３】  挿入ピン２の両股間を薄板で接続した例示図
【符号の説明】
１．外部筐体
２．挿入ピン
３．内部突起
４．弾性体クッション
５．ディスプレー収納上蓋
６．外部筐体鍵穴
７．挿入ピン引抜用切欠
８．ＲＪモジュラープラグ
９．８芯ＬＡＮケーブル
１０．ＲＪモジュラープラグ爪部
１１．ＲＪモジュラープラグ爪部ロック用突起
１２．挿入ピンの両股を接続する薄板部
【図１】
0003102533.tif 000003
【図２】
0003102533.tif 000004
【図３】
0003102533.tif 000005
【手続補正書】
【提出日】平成15年12月25日(2003.12.25)
【手続補正１】
【補正対象書類名】実用新案登録請求の範囲
【補正対象項目名】全文
【補正方法】変更
【補正の内容】
【実用新案登録請求の範囲】
【請求項１】
コンピュータとコンピュータ等とを接続するＬＡＮケーブルとの間に取付けて、接続を外し難くするための、ケーブル貫通型の外部筐体（図１の１）とケーブル末端に取付けられたＲＪモジュラープラグ（図２の８）と外部筐体の内側に挿入する挿入ピン（図１の２）からなる施錠可能なコンピュータ盗難防止具。
【請求項２】
請求項１の外部筐体は、長方形の断面を有する中空の構造で、コンピュータ側の内面には、請求項１の挿入ピンを挿入して挿入ピン鍵穴を外部筐体の外部筐体鍵穴に重ね合わせて施錠時にモジュラープラグがコンピュータから外力により引き抜かれることを防止するための内部突起（図１の３）が取り付けられ、外部筐体のコンピュータ側の端面に沿うように切り抜いた形状の弾性体クッションを貼付け、外部筐体の他端の８芯ＬＡＮケーブル側には外部筐体鍵穴を穿孔してあり、あらましの形状は上部から見ると長方形で側面から見ると長方形の一頂点を切り落としたような五角形に加工された外部筐体（図１の１）。
【請求項３】
請求項１の挿入ピンは、一端が二股であり、他端には上部を皿グリして、錠前の金具挿入を容易にする挿入ピン鍵穴を穿孔し、その近傍外側には挿入ピン引抜用切欠を設けてある形状をしており、挿入引抜がスムーズになるよう挿入部分の先端部を曲面的に加工し、また二股部根元内側も曲面的に加工した挿入ピン（図１の２）。